【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
ズームレンズを通して撮影された被写体像を蓋によって覆われる装着部に装着された記録媒体に記録する記録手段、
電源オフ操作に応答して電源をオフする第１オフ手段、
前記第１オフ手段のオフ動作に関連して前記ズームレンズを初期位置に配置する配置手段、
前記ズームレンズの位置を示すレンズ位置情報を前記蓋の開動作を形成する第１動作に応答して退避させる退避手段、
前記蓋の開動作を形成しかつ前記第１動作の後に行われる第２動作に応答して前記電源をオフする第２オフ手段、
前記電源がオフされた原因が前記蓋の開動作であるか否かを判別する判別手段、および
前記判別手段の判別結果が肯定的であるとき前記退避手段によって退避されたレンズ位置情報を前記電源のオン動作に応答して復帰させる復帰手段を備える、ディジタルカメラ。
【請求項２】
前記第１動作は前記蓋の開動作を形成する最初の動作である、請求項１記載のディジタルカメラ。
【請求項３】
ズーム操作に応答して前記ズームレンズを光軸方向に移動させる移動手段、
前記ズームレンズの位置を示す係数を保持するレジスタ、および
前記レジスタに保持された係数を前記ズーム操作に応答して更新する更新手段をさらに備え、
前記退避手段は前記レジスタに保持された係数を前記レンズ位置情報として退避させる、請求項１または２記載のディジタルカメラ。
【請求項４】
前記復帰手段は前記レンズ位置情報を前記レジスタに設定する、請求項３記載のディジタルカメラ。
【手続補正２】
【補正対象書類名】明細書
【補正対象項目名】０００５
【補正方法】変更
【補正の内容】
【０００５】
【課題を解決するための手段】
この発明に従うディジタルカメラは、ズームレンズを通して撮影された被写体像を蓋によって覆われる装着部に装着された記録媒体に記録する記録手段、電源オフ操作に応答して電源をオフする第１オフ手段、第１オフ手段のオフ動作に関連してズームレンズを初期位置に配置する配置手段、ズームレンズの位置を示すレンズ位置情報を蓋の開動作を形成する第１動作に応答して退避させる退避手段、蓋の開動作を形成しかつ第１動作の後に行われる第２動作に応答して電源をオフする第２オフ手段、電源がオフされた原因が蓋の開動作であるか否かを判別する判別手段、および判別手段の判別結果が肯定的であるとき退避手段によって退避されたレンズ位置情報を電源のオン動作に応答して復帰させる復帰手段を備える。
【手続補正３】
【補正対象書類名】明細書
【補正対象項目名】０００６
【補正方法】変更
【補正の内容】
【０００６】
【作用】
ズームレンズを通して撮影された被写体像は、蓋によって覆われる装着部に装着された記録媒体に、記録手段によって記録される。電源は、電源オフ操作に応答して第１オフ手段によってオフされる。配置手段は、第１オフ手段のオフ動作に関連してズームレンズを初期位置に配置する。
退避手段は、ズームレンズの位置を示すレンズ位置情報を蓋の開動作を形成する第１動作に応答して退避させる。電源は、蓋の開動作を形成しかつ第１動作の後に行われる第２動作に応答して、第２オフ手段によってオフされる。
電源がオフされた原因が開動作であるか否かは、判別手段によって判別される。復帰手段は、判別結果が肯定的であるとき、退避手段によって退避されたレンズ位置情報を電源のオン動作に応答して復帰させる。
【手続補正４】
【補正対象書類名】明細書
【補正対象項目名】０００７
【補正方法】変更
【補正の内容】
【０００７】
この発明のある局面では、第１動作は蓋の開動作を形成する最初の動作である。
【手続補正５】
【補正対象書類名】明細書
【補正対象項目名】０００８
【補正方法】変更
【補正の内容】
【０００８】
この発明の他の局面では、ズーム操作が行われると、移動手段がズームレンズを光軸方向に移動させる。また、更新手段が、レジスタに保持されたズームレンズの位置を示す係数をズーム操作に応答して更新する。退避手段は、このようなレジスタの係数をレンズ位置情報として退避させる。
【手続補正６】
【補正対象書類名】明細書
【補正対象項目名】０００９
【補正方法】変更
【補正の内容】
【０００９】
この発明のある実施例では、復帰手段はレンズ位置情報をレジスタに設定する。
【手続補正７】
【補正対象書類名】明細書
【補正対象項目名】００１０
【補正方法】変更
【補正の内容】
【００１０】
【発明の効果】
この発明によれば、蓋の開動作を形成する第１動作が行われたときにズームレンズの位置情報を退避させるようにしたため、次回の電源投入時にこの位置情報を用いることで、ズームレンズを初期位置に戻すプロセスが不要となる。つまり、オペレータは、ズームレンズを移動させて撮影条件を設定し直す必要がない。
【手続補正８】
【補正対象書類名】明細書
【補正対象項目名】００１６
【補正方法】変更
【補正の内容】
【００１６】
図２を参照して、カメラ本体４０の底面には板状の蓋２２が設けられている。蓋２２は長さ方向一端においてカメラ本体４０に軸支され、蓋２２の内側面には略Ｌ字状のフック２２ａが形成されている。蓋２２が完全に閉じられた状態では、このフック２２ａがカメラ本体４０の内側に形成された孔４２に係合する。蓋２２を（１）の方向にスライドさせると、フック２２ａが孔４２から引き出される。スライド動作の後に蓋２２を（２）の方向に押し上げると、蓋２２は長さ方向一方端を軸として回動する。これによって、蓋２２が全開状態となる。一方、全開状態にある蓋２２を図３に示す（３）の方向に引き下げると、蓋２２は上述と逆の方向に回動する。その後、蓋２２を（４）の方向にスライドさせると、フック２２ａが孔４２に係合し、これによって蓋２２が全閉状態となる。
【手続補正９】
【補正対象書類名】明細書
【補正対象項目名】００１７
【補正方法】変更
【補正の内容】
【００１７】
このように、蓋２２は、（１）の方向にスライドさせるステップと（２）の方向に押し上げるステップを経て全開状態となり、（３）の方向に引き下げるステップと（４）の方向にスライドさせるステップを経て全閉状態となる。
【手続補正１０】
【補正対象書類名】明細書
【補正対象項目名】００１９
【補正方法】変更
【補正の内容】
【００１９】
図１に戻って、スイッチＳＷ１およびＳＷ２は、蓋２２の開動作および閉動作に連動する。具体的には、蓋２２が（１）の方向にスライドされるとスイッチＳＷ１がオフされ、蓋２２が（２）の方向に押し上げられるとスイッチＳＷ２がオフされる。また、蓋２２が（３）の方向に引き下げられるとスイッチＳＷ２がオンされ、蓋２２が（４）の方向にスライドされるとスイッチＳＷ１がオンされる。つまり、スイッチＳＷ１は蓋２２のスライドに連動してオン／オフされ、スイッチＳＷ２は蓋２２の回動に連動してオン／オフされる。
【手続補正１１】
【補正対象書類名】明細書
【補正対象項目名】００２５
【補正方法】変更
【補正の内容】
【００２５】
オペレータが蓋２２を図２に示す（１）の方向にスライドさせると、スイッチＳＷ１がオフされる。すると、サブマイコン３４はステップＳ２３からステップＳ２５に進み、フラグＦ２状態を判定する。ここでフラグＦ２がセットされていれば、サブマイコン３４はそのままステップＳ３５に進む。一方、フラグＦ２がリセットされていれば、ステップＳ２７でレンズ位置情報の転送をシステムコントローラ２６に要求し、さらにレンズ位置情報が転送されたかどうかをステップＳ２９で判断する。ステップＳ２９でＹＥＳであれば、サブマイコン３４はステップＳ３１に進み、転送されたレンズ位置情報をＤＲＡＭ３４ａに格納する。そして、ステップＳ３３でフラグＦ２をセットしてからステップＳ３５に進み、スイッチＳＷ２がオフ状態であるかどうか、つまり蓋２２が図３に示す（３）の方向に押し上げられたかどうかを判断する。
【手続補正１２】
【補正対象書類名】明細書
【補正対象項目名】００２６
【補正方法】変更
【補正の内容】
【００２６】
スイッチＳＷ２がオン状態であれば、蓋２２は（１）の方向にスライドされたものの未だ全開状態ではない。このとき、サブマイコン３４はステップＳ２３に戻る。ただし、フラグＦ２はセットされているため、ステップＳ２７〜Ｓ３３は処理されない。この後、蓋２２が全開されることなく再び全閉状態となれば、ステップＳ１９の処理が繰り返される。なお、フラグＦ２のセット状態は、レンズ位置情報のＤＲＡＭ３４ａへの書き込みが完了したことを示す。
【手続補正１３】
【補正対象書類名】明細書
【補正対象項目名】００２８
【補正方法】変更
【補正の内容】
【００２８】
蓋２２の開動作を行なうことなく、あるいは蓋２２を途中まで開いた状態で電源ボタン３６をオフすると、サブマイコン３４はステップＳ２１でＹＥＳと判断する。このとき、サブマイコン３４はステップＳ４１に進み、レンズ位置の初期化をシステムコントローラ２６に要求する。これに対して、システムコントローラ２６から初期化の完了信号が入力されると、サブマイコン３４はステップＳ４３でＹＥＳと判断し、ステップＳ４５でフラグＦ１をセットする。その後、ステップＳ３９でスイッチＳＷ３をオフし、ステップＳ１に戻る。
【手続補正１４】
【補正対象書類名】明細書
【補正対象項目名】００３５
【補正方法】変更
【補正の内容】
【００３５】
このような撮影処理の後、メモリカード２０を交換するために蓋２２を開くと、スイッチＳＷ１およびＳＷ２がオフされる。蓋２２を図３の（１）の方向にスライドさせた時点で、まずスイッチＳＷ１がオフされる。すると、レンズ位置情報の転送要求がサブマイコン３４からシステムコントローラ２６に与えられる。システムコントローラ２６は、この要求に応答してズームカウンタ２６ａのカウント値（レンズ位置情報）をサブマイコン３４に返送する。返送されたレンズ位置情報は、サブマイコン３４によってＤＲＡＭ３４ａに書き込まれる。さらに、書き込み終了後に、フラグＦ２がセットされる。
【手続補正１５】
【補正対象書類名】明細書
【補正対象項目名】００３６
【補正方法】変更
【補正の内容】
【００３６】
蓋２２が（１）の方向にスライドされた後も（２）の方向に押し上げられなければ、スイッチＳＷ２はオフされず、スイッチＳＷ１の状態の判定（オフ状態との判定）が繰り返される。ただし、レンズ位置情報に書き込みは既に完了し、このことを示すフラグＦ２がセットされているため、レンズ位置情報が改めて書き込まれることはない。蓋２２が（１）の方向にスライドされた後、全閉状態に戻ると、フラグＦ２はリセットされる。このため、次のスライド時は、レンズ位置情報の書き込み処理が行なわれる。蓋２２がスライド動作の後に全開されると、フラグＦ１のリセット処理を経てスイッチＳＷ３がオフされる。これによって、サブマイコン３４以外の全てのシステムがオフされる。
【手続補正１６】
【補正対象書類名】明細書
【補正対象項目名】００４３
【補正方法】変更
【補正の内容】
【００４３】
さらに、この実施例の蓋は、オペレータから加えられる外力のみによって全開状態となる。つまり、蓋は、他力によって（１）の方向にスライドし、他力によって（２）の方向に押し上げられ、これによって全開状態となる。しかし、この発明の蓋は、複数ステップの開動作によって全開状態となる限り、いずれかのステップの開動作が自力によるものであってもよい。たとえば、オペレータが蓋の開レバーを操作したときに、蓋がバネなどの弾性力によって開かれる場合、蓋は、開レバーの移動ならびに蓋の回動の２つステップを経て全開される。ここで、開レバーは他力で移動し、蓋は自力で回動する。このような蓋にも、この発明を適用することができる。
【手続補正１７】
【補正対象書類名】図面
【補正対象項目名】図２
【補正方法】変更
【補正の内容】
【図２】
2001016495.tif 000001
【手続補正１８】
【補正対象書類名】図面
【補正対象項目名】図３
【補正方法】変更
【補正の内容】
【図３】
2001016495.tif 000002